(57)【要約】      （修正有）【課題】  胴のかん足に対するバンドのエンドピースの着脱操作が容易な腕時計を提供する。【解決手段】  バンド１１のエンドピース１２の裏面に凹部１７を形成し、かん股６にピース１２が受入れられた状態で、かん足７の取付け穴８と対向する通孔１８をピース１２の側壁１２ａに夫々設ける。回転部材２１を凹部１７内に回転可能に保持する。一端２２ａから他端２２ｂにわたり回転部材２１の中心Ｐに対する距離が次第に小さくなる形状の一対のカム穴２２を回転部材２１に点対称に設け、回転部材２１を回転させカム従節端部２８ｂがカム穴の一端２２ａに配置されたときに連結端部２８ａが取付け穴８に挿入され、回転部材２１を回転させカム従節端部２８ｂがカム穴の他端２２ｂに配置されたときに連結端部２８ａが取付け穴８から引き抜かれるようにしている。【選択図】    図３
2008164428.tif 000002
【特許請求の範囲】
【請求項１】
取付け穴を有したかん足が突設されるとともに隣り合ったかん足間にかん股が形成された胴に、バンドが着脱可能に取付けられた腕時計において、
前記かん股に出し入れ可能に受入れられる前記バンドのエンドピースの裏面に凹部を形成するとともに、前記かん股に前記エンドピースが受入れられた状態で前記取付け穴と対向するとともに前記凹部に連通する通孔を、前記凹部の両側に位置する前記エンドピースの側壁に夫々設け、
点対称に設けられた一対のカム穴及びこれらカム穴間に設けられた回転操作溝を有する回転部材を、少なくとも前記回転操作溝を露出させて前記凹部内に回転可能に保持し、かつ、前記カム穴を、このカム穴の一端から他端に行くに従い前記回転部材の中心に対する距離が次第に小さくなる形状とし、
Ｌ形状に形成された一対の連結部材の一端部からなる連結端部を前記通孔に通すとともに前記連結部材の他端部からなるカム従節端部を前記カム穴に挿入し、
前記回転部材を回転させて前記カム従節端部が前記カム穴の一端に配置されたときに前記連結端部が前記取付け穴に挿入され、前記回転部材を回転させて前記カム従節端部が前記カム穴の他端に配置されたときに前記連結端部が前記取付け穴から引き抜かれるようにした腕時計。
【請求項２】
前記回転操作溝がコインの周部を受入れ可能な幅と長さを有した形状をなし、この回転操作溝を前記連結端部と平行となるように前記一対のカム穴の一端間に設けた請求項１に記載の腕時計。
【請求項３】
前記回転部材の裏面に接する安定板を前記カム従節端部の外周に圧入して取付けた請求項１又は２に記載の腕時計。
【請求項４】
前記回転部材とこの回転部材を前記凹部に保持するように前記回転部材の周部を覆って前記エンドピースの裏面に取付けられた押え板との内のいずれか一方に節度突起を設けるとともに、他方に前記回転部材の回転に伴い前記節度突起が係脱される節度溝を設け、前記連結端部が前記取付け穴に挿入された状態で、前記節度突起と節度溝を係合させて前記回転部材が位置決めされるようにした請求項１から３の内のいずれか一項に記載の腕時計。
【請求項５】
前記回転部材を前記押え板に向けて付勢する付勢手段を備えた請求項４に記載の腕時計。
【請求項６】
取付け穴を有するかん足が胴に設けられた腕時計に備えられ、前記かん足間に形成されたかん股に出し入れ可能に受入れられて前記胴に着脱可能に取付けられるエンドピースを備えた腕時計用バンドにおいて、
前記バンドのエンドピースの裏面に凹部を形成するとともに、前記かん股に前記エンドピースが受入れられた状態で前記取付け穴と対向するとともに前記凹部に連通する通孔を、前記凹部の両側に位置する前記エンドピースの側壁に夫々設け、
点対称に設けられた一対のカム穴及びこれらカム穴間に設けられた回転操作溝を有する回転部材を、少なくとも前記回転操作溝を露出させて前記凹部内に回転可能に保持し、かつ、前記カム穴を、このカム穴の一端から他端に行くに従い前記回転部材の中心に対する距離が次第に小さくなる形状とし、
Ｌ形状に折れ曲がって形成された一対の連結部材の一端部からなる連結端部を前記通孔に通すとともに前記連結部材の他端部からなるカム従節端部を前記カム穴に挿入し、
前記回転部材を回転させて前記カム従節端部が前記カム穴の一端に配置されたときに前記連結端部が前記取付け穴に挿入され、前記回転部材を回転させて前記カム従節端部が前記カム穴の他端に配置されたときに前記連結端部が前記取付け穴から引き抜かれるようにした腕時計用バンド。
【請求項７】
前記回転操作溝がコインの周部を受入れ可能な幅と長さを有した形状をなし、この回転操作溝を前記連結端部と平行となるように前記一対のカム穴の一端間に設けた請求項６に記載の腕時計用バンド。
【請求項８】
前記回転部材の裏面に接する安定板を前記カム従節端部の外周に圧入して取付けた請求項６又は７に記載の腕時計用バンド。
【請求項９】
前記回転部材とこの回転部材を前記凹部に保持するように前記回転部材の周部を覆って前記エンドピースの裏面に取付けられた押え板との内のいずれか一方に節度突起を設けるとともに、他方に前記回転部材の回転に伴い前記節度突起が係脱される節度溝を設け、前記連結端部が前記取付け穴に挿入された状態で、前記節度突起と節度溝との係合により前記回転部材が位置決めされるようにした請求項６から８の内のいずれか一項に記載の腕時計用バンド。
【請求項１０】
前記回転部材を前記押え板に向けて付勢する付勢手段を備えた請求項９に記載の腕時計用バンド。
【発明の詳細な説明】
【技術分野】
【０００１】
本発明は、バンドを用いて人体の腕に装着して使用される腕時計、及びこの腕時計の胴に着脱可能に取付けられる腕時計用バンドに関する。
【背景技術】
【０００２】
従来、腕時計の胴に対するバンドの取付けは、いわゆるばね棒を用いることが一般的である。ばね棒は、両端部を絞った管に、二個の段付きピン及びコイルスプリングを収容して形成されている。段付きピンが有した小径軸部は、管の端から突出されて、胴の突起部（かん足）に開けられた取付穴に挿入される。それによって、胴にバンドが連結される。コイルスプリングは、二個の段付きピン間に挟まれて、これら段付きピンを互いに反対方向に付勢している。したがって、この段付きピンを管に押し込み操作することで取付孔から外して、胴からバンドを外すことができる（例えば、特許文献１参照。）。
【０００３】
更に、胴の突起部（かん足）の取付穴と整合する直径の径大部の両端に径小部を突設した段付き連結軸を、バンドの端部を受入れるかん股を形成して隣接した突起部が並ぶ方向に移動させて、一方の突起部（かん足）の取付穴に貫通させることにより、胴に対するバンドの着脱を可能とした技術が知られている（例えば、特許文献１参照。）。
【０００４】
又、胴にバンドを着脱する際ばね棒を素手で操作可能とするために、ばね棒本体の一端より突出された一方の伸縮軸部に、この軸部を素手にて操作可能なとする突起を設けた技術も知られている。この場合、金属製バンドのエンドピースの端部に切欠きを設けて、そこに前記操作用の突起を収めることができるようにすることも知られている（例えば、特許文献２参照。）。
【特許文献１】特開昭６１−１５４６０４号公報（発明の詳細な説明の欄、図１−図４）
【特許文献２】実願昭６０−１０７０４４６号（実開昭６２−７９４１９号）のマイクロフィルム（考案の詳細な説明の欄、図１−図３）
【発明の開示】
【発明が解決しようとする課題】
【０００５】
特許文献１のばね棒を用いる技術又は段付き連結軸を用いる技術は、ばね棒又は段付き連結軸を胴の突起部（かん足）から外すのに、専用の工具を必要とするので、バンドを外す際の操作が面倒である。そのため、バンド交換は、工具が身近にない使用者にとっては困難性が高い。
【０００６】
更に、特許文献１の段付き連結軸を用いる技術では、この軸の径小部の太さを、この径小部が容易に曲がらないように所定の強さを発揮できる太さとした上で、この太さより更に太い径大部が挿脱可能に突起部（かん足）の取付穴を大きく形成しなければならない。そのため、胴を薄形とする上で不利であるだけでなく、大径な取付穴と段付き連結軸の径小部との間に大きなクリアランスが形成されることを原因として、特に、１２時−６時方向へバンドが容易に遊び動いて、商品性の低下がもたらされる。更に、段付き連結軸はバンドに保持されていないので、バンドの保管中に段付き連結軸の所在が不明となる恐れが高い。
【０００７】
特許文献２の技術では、ばね棒を解除操作するための手動操作用の突起が設けられているとは言え、この突起を、胴の取付脚（かん足）の厚み以下にしないと、通常の使用において突起が使用者の手首に当たる可能性が高くなる。そのため、突起は、必然的に小さくならざるを得ない。その上、前記突起は、バンドの端部側面と胴の取付脚の側面との間に挟まれるように配置されている。したがって、前記突起を手動操作することは実際的にかなりの困難性を伴い、専用の工具を用いた方が遥かに操作し易い。
【０００８】
本発明の目的は、胴のかん足に対するバンドのエンドピースの着脱操作が容易な腕時計及び腕時計用バンドを提供することにある。
【課題を解決するための手段】
【０００９】
本発明の腕時計は、取付け穴を有したかん足が突設されるとともに隣り合ったかん足間にかん股が形成された胴に、バンドが着脱可能に取付けられた腕時計において、前記かん股に出し入れ可能に受入れられる前記バンドのエンドピースの裏面に凹部を形成するとともに、前記かん股に前記エンドピースが受入れられた状態で前記取付け穴と対向するとともに前記凹部に連通する通孔を、前記凹部の両側に位置する前記エンドピースの側壁に夫々設け、点対称に設けられた一対のカム穴及びこれらカム穴間に設けられた回転操作溝を有する回転部材を、少なくとも前記回転操作溝を露出させて前記凹部内に回転可能に保持し、かつ、前記カム穴を、このカム穴の一端から他端に行くに従い前記回転部材の中心に対する距離が次第に小さくなる形状とし、Ｌ形状に形成された一対の連結部材の一端部からなる連結端部を前記通孔に通すとともに前記連結部材の他端部からなるカム従節端部を前記カム穴に挿入し、前記回転部材を回転させて前記カム従節端部が前記カム穴の一端に配置されたときに前記連結端部が前記取付け穴に挿入され、前記回転部材を回転させて前記カム従節端部が前記カム穴の他端に配置されたときに前記連結端部が前記取付け穴から引き抜かれるようにしている。
【００１０】
本発明及び以下の各発明で、バンドのエンドピース以外にバンド部分は、複数の金属製バンド駒を回転可能に連結してなるものでも、天然皮革又は人工皮革或いは合成樹脂等の非金属製のベルトからなるものであっても差し支えない。本発明及び以下の各発明で、凹部の形状は、四角形又は円形とすることが好ましく、また、回転部材のカム穴は、円弧状とすることが好ましいが、直線状に形成することも可能である。本発明及び以下の各発明で、かん足の通孔に連結部材の連結端部が挿入される際に引っ掛からないようにするために、連結部材の連結端部が挿脱されるかん足の通孔の入口、つまり、かん股に臨んだ通孔の端部、及び連結端部の先端の内の少なくとも一方に、面取りを施すとよい。本発明で、回転部材の回転操作溝は、そこに専用の工具の先端部が挿脱可能なものであっても差し支えないが、身近にあるねじ回しの先端部やコインの周部が挿脱可能である構成であることが好ましい。
【００１１】
本発明の腕時計では、バンドに備えられたエンドピースの両側縁から連結部材の連結端部が突出していない状態とした上で、このエンドピースを胴の隣接するかん足間のかん股に入れて、回転部材を回転させることにより、この回転部材のカム穴に対する連結部材のカム従節端部が係合する位置が相対的に変わるに伴って、一対の連結部材を互いに離れる方向に移動させて、その連結端部をエンドピースの両側縁から突出させることができる。それにより、エンドピースの通孔に至近距離で対向しているかん足の取付け穴に、連結部材の連結端部が差し込まれて、胴にバンドが取付けられる。
【００１２】
この逆に、胴にバンドが取付けられている状態で、前記取付けの場合とは逆方向に回転部材を回転させることにより、カム穴とカム従節端部との係合位置が相対的に変わって、一対の連結部材を互いに近付く方向に移動させることができる。これにより、連結端部がかん足の取付け穴から引き抜かれてエンドピースの通孔内に没するので、胴からバンドを外すことができる。
【００１３】
このように胴にバンドを着脱する際、回転部材を回転操作するには、この部材の回転操作溝に例えば身近にあるコインの周部を挿入して実施できる。この場合、かん足とエンドピースとの間の極狭空間での作業を要せず、エンドピースの開放された裏面側で操作できるので、胴に対するエンドピースの着脱操作性を向上できる。
【００１４】
本発明の腕時計用バンドは、取付け穴を有するかん足が胴に設けられた腕時計に備えられ、前記かん足間に形成されたかん股に出し入れ可能に受入れられて前記胴に着脱可能に取付けられるエンドピースを備えた腕時計用バンドにおいて、前記バンドのエンドピースの裏面に凹部を形成するとともに、前記かん股に前記エンドピースが受入れられた状態で前記取付け穴と対向するとともに前記凹部に連通する通孔を、前記凹部の両側に位置する前記エンドピースの側壁に夫々設け、点対称に設けられた一対のカム穴及びこれらカム穴間に設けられた回転操作溝を有する回転部材を、少なくとも前記回転操作溝を露出させて前記凹部内に回転可能に保持し、かつ、前記カム穴を、このカム穴の一端から他端に行くに従い前記回転部材の中心に対する距離が次第に小さくなる形状とし、Ｌ形状に折れ曲がって形成された一対の連結部材の一端部からなる連結端部を前記通孔に通すとともに前記連結部材の他端部からなるカム従節端部を前記カム穴に挿入し、前記回転部材を回転させて前記カム従節端部が前記カム穴の一端に配置されたときに前記連結端部が前記取付け穴に挿入され、前記回転部材を回転させて前記カム従節端部が前記カム穴の他端に配置されたときに前記連結端部が前記取付け穴から引き抜かれるようにしている。
【００１５】
本発明の腕時計用バンドは、そのエンドピースを、腕時計の発明で既に説明したのと同じ操作で、腕時計の胴に容易に着脱することができる。
【００１６】
本発明の腕時計及び腕時計用バンドの好ましい形態では、回転操作溝がコインの周部を受入れ可能な幅と長さを有した形状をなし、この回転操作溝を連結端部と平行となるように一対のカム穴の一端間に設けている。
【００１７】
これらの発明の形態では、専用の工具を要しないで、身近なコインを用いて、胴のかん足にバンドのエンドピースを容易に着脱できる。しかも、回転操作溝と連結端部とが延びる方向が同じであるので、作業者にとって、連結部材の連結端部と回転操作溝との相互位置関係を認識し易く、従って、回転部材を回転操作の方向間違いを抑制する上で好ましい。
【００１８】
本発明の腕時計及び腕時計用バンドの好ましい形態では、回転部材の裏面に接する安定板をカム従節端部の外周に圧入して取付けている。安定板には合成樹脂製のリング等を用いることが可能である。
【００１９】
これらの発明の形態では、回転部材の回転操作に伴ってカム従節端部がカム穴内で倒れる方向に動くことを、連結部材と一体的に動かされる安定板と回転部材の裏面との接触により防止して、回転部材の回転操作中にカム従節端部がカム穴に競ることを抑制できる。
【００２０】
本発明の腕時計及び腕時計用バンドの好ましい形態では、前記回転部材とこの回転部材を前記凹部に保持するように前記回転部材の周部を覆って前記エンドピースの裏面に取付けられた押え板との内のいずれか一方に節度突起を設けるとともに、他方に回転部材の回転に伴い前記節度突起が係脱される節度溝を設け、連結端部が取付け穴に挿入された状態で、節度突起と節度溝を係合させて回転部材が位置決めされるようにしている。
【００２１】
これらの発明の形態では、節度突起と節度溝の係合に伴い節度感を得て、連結部材の連結端部がかん足の取付け穴に挿入されて胴にバンドが取付けられたことを知覚させることができるとともに、前記係合により回転部材の自由回転を抑制して、バンドが胴に取付けられた状態を保持できる。
【００２２】
本発明の腕時計及び腕時計用バンドの好ましい形態では、回転部材を押え板に向けて付勢する付勢手段を備えている。この発明の形態で、付勢手段には付勢部材例えばコイルばねを代表的に用いることができるが、これに代えて、回転部材自体にこの部材がエンドピースに取付けられた状態で撓む部位を設け、この部位が撓みを解消しようとする力で付勢することも可能である。
【００２３】
これらの発明の形態では、回転部材が押え板に押付け保持されるので、回転部材ががたつくことを抑制できるとともに、節度突起と節度溝の係合に伴う節度感を明確に発現させることができる。
【発明の効果】
【００２４】
本発明によれば、胴のかん足に対するバンドのエンドピースの着脱操作が容易な腕時計及び腕時計用バンドを提供できる。
【発明を実施するための最良の形態】
【００２５】
図１〜図６を参照して本発明の第１実施形態を説明する。
【００２６】
図１中符号１は腕時計を示している。この腕時計が備える時計外装組立２内には、図示しない文字板及び時計ムーブメント等が収容されている。時計外装組立２は、金属製又は硬質合成樹脂製の胴４を備えている。胴４は例えば略四角環状であり、その正面にカバーガラス５が装着され、裏面に裏蓋（図示しない）が装着されている。カバーガラス５を通して文字板は視認可能である。
【００２７】
文字板の１２時−６時方向に対応して胴４の外周にはかん股６が夫々設けられている。これらのかん股６は、後述のエンドピースを受入れる凹部として用いられ、胴４の外周から一体に突設されかつ左右方向（９時ー３時方向）に隣接した一対のかん足７間に形成されている。かん足７はバンド取付け凸部として用いられ、図２〜図５に示すように各かん足７の夫々にはかん股６に開口する取付け穴８が設けられている。取付け穴８は文字板３の９時ー３時方向に沿うようにかん足７を貫通して設けられていても、貫通していなくてもよい。
【００２８】
図１〜図３中符号１１は腕時計を人体の腕に装着するためのバンドを示している。本実施形態のバンド１１は、バンド駒１５の列の一端に金属製のエンドピース１２を接続するとともに、他端に結合部材１３又は１４を接続して形成されている。バンド駒列は互いに回転可能に接続された複数の金属製バンド駒１５により形成されている。なお、図２及び図３中符号１６は、エンドピース１２とこれに隣接したバンド１を接続したばね棒を示しており、又、結合部材１３，１４は互いに係脱可能である。
【００２９】
図４及び図５に示すように夫々のエンドピース１２にはその裏面に開放する凹部１７が形成されている。凹部１７は例えば四角形状である。凹部１７の左右両側に位置された側壁、言い換えれば、エンドピース１２をその幅方向に挟むように位置された側壁１２ａには、これらの壁を貫通する通孔１８が夫々開けられている。そのため、通孔１８の一端は凹部１７に臨んだ側壁１２ａの内面に開放され、他端は側壁１２ａの外面に開放されている。通孔１８の径は取付け穴８の径と略等しい。
【００３０】
凹部１７の開放端部の内周面には周方向に連続する段部１２ｂが形成されている。凹部１７の底面（奥面）の中央部には凸部１９が一体に突設されている。凸部１９の高さは、凹部１７の深さより低い。
【００３１】
凹部１７に回転部材２１が回転可能に収容されているとともに、この回転部材２１の凹部１７からの外れ止めをなす金属製の押え板２５がエンドピース１２の裏面に取付けられている。押え板２５の外周は凹部１７の形状に対応した外形形状例えば四角形状をなし、この外周部を前記段部１２ｂに載置させて、外周部の数箇所をエンドピース１２に溶接して、押え板２５がエンドピース１２に固定されている。固定された押え板２５の表面はエンドピース１２の裏面と略面一になっている。押え板２５は円形の孔２５ａを有している。
【００３２】
図６等に示すように回転部材２１は、中央部が周部より肉厚で、かつ、周部が中央部に対して段差をもって肉薄に形成された円板形状をなしている。回転部材２１の周部に対する中央部の突出高さ、言い換えれば、段差の高さは、押え板２５の板厚と略同じである。更に、中央部も円形であり、その直径は孔２５ａより僅かに小さい。
【００３３】
回転部材２１は、その周部を押え板２５で覆われるとともに、中央部を押え板２５の孔２５ａに嵌合させて凹部１７内に収容されている。図４及び図５に示すように凹部１７内に設けた付勢手段例えばコイルばね２６によって、回転部材２１は押え板２５に押付けられている。コイルばね２６は、前記凸部１９を内側に納めて配置され、それにより、回転部材２１の中央部を押す所定位置に保持されている。コイルばね２６の付勢によって、通常の状態では回転部材２１と凸部１９の先端との間に僅かな隙間ｇ（図４参照）が形成されている。この隙間ｇにより回転部材２１が押されたときに、回転部材２１が隙間ｇを消失さるように凹部１７の底面方向に変位可能となっている。
【００３４】
図２〜図６に示すように回転部材２１の肉厚な中央部には、一対のカム穴２２と一つの回転操作溝２３とが設けられている。
【００３５】
一対のカム穴２２は、回転部材２１を貫通しているとともに、回転部材２１の中心Ｐに対して点対称に配置されている。しかも、カム穴２２は、その一端２２ａから他端２２ｂに行くに従って、中心Ｐに対する距離が次第に小さくなる形状、例えば円弧状に形成されている。なお、図２及び図３中符号ｒ１は回転部材２１の半径方向に沿って中心Ｐと一端２２ａとを結んだ直線距離の長さを示し、ｒ２は回転部材２１の半径方向に沿って中心Ｐと他端２２ｂとを結んだ直線距離の長さを示しており、ｒ１＞ｒ２である。
【００３６】
回転操作溝２３は、コインの周部を受入れることができる幅と長さを有した細長い形状に作られている。なお、回転操作溝２３はコインの周部の他に一般的なねじ回しの先端部を受入れることも可能である。回転操作溝２３は、その長手方向両端を一対のカム穴２２の一端２２ａに対応させてこれらの間に設けられている。それによって、胴３にバンド１１が取付けられた状態で回転操作溝２３を後述する連結端部と平行とすることができる。
【００３７】
回転部材２１とエンドピース１２とにわたって一対の連結部材２８が取付けられている。これら連結部材２８は、例えば金属製であって、取付け穴８及び通孔１８と略同径の丸棒を図４、図５、図６（Ａ）に示すようにＬ形状に折れ曲げて形成されている。連結部材２８の一端部は連結端部２８ａをなし、連結部材２８の他端部はカム従節端部２８ｂをなしている。連結端部２８ａはカム従節端部２８ｂより長い。
【００３８】
連結部材２８は、その連結端部２８ａをエンドピース１２の通孔１８に挿入させるとともに、カム従節端部２８ｂを回転部材２１のカム穴２２に挿入して設けられている。そのため、一対の連結部材２８はその連結端部２８ａの先端が互いに逆向きで遠ざかるように配設されている。カム従節端部２８ｂの長さは、その先端が回転部材２１の表面から突出することなく回転部材２１内に没する長さに設定されている。
【００３９】
回転部材２１を手で回転させてカム従節端部２８ｂとカム穴２２との係合位置を変えることにより、連結部材２８は互いに接離する方向に移動可能である。そして、この移動により連結端部２８ａがエンドピース１２の両側壁１２ａの外面に対して突出又は没入される。突出された連結端部２８ａはかん足７の取付け穴８に挿入されて胴４にバンド１１を連結する。そして、この連結は連結端部２８ａが側壁１２ａ内に没入することで解除されるようになっている。
【００４０】
連結端部２８ａの先端及びカム従節端部２８ｂの先端は夫々面取りされている。なお、面取りに代えて半円状に加工することもできる。こうした連結端部２８ａの先端に対する工夫により、寸法精度のばらつきに拘わらずに、連結端部２８ａが取付け穴８の入口に引っ掛からないようにして、この取付け穴８への連結端部２８ａの挿脱を全うさせることができる。カム従節端部２８ｂの先端に対する前記工夫により、寸法精度のばらつきで、カム従節端部２８ｂの先端が僅かに回転部材２１の表面から突出された場合でも、人体の手に異物感を与えないようにすることができる。
【００４１】
図４及び図５に示すように押え板２５に節度溝２５ｂが設けられている。これに対応して回転部材２１の周部に節度突起２１ｂが設けられている。回転部材２１の回転に伴って節度突起２１ｂは節度溝２５ｂに係脱され、その係合により回転部材２１が所定位置に位置決めされる。すなわち、連結端部２８ａが取付け穴８に挿入された状態で節度突起２１ｂと節度溝２５ｂとが係合して、この係合が不用意に外れないように回転部材２１を静止状態に保持するようになっている。なお、前記構成に代えて、押え板２５に節度突起２１ｂを設けるとともに、回転部材２１の周部に節度溝２５ｂを設けてもよい。
【００４２】
バンド１１を胴４に取付ける手順を説明する。
【００４３】
まず、必要がある場合に、連結部材２８の連結端部２８ａの先端部を通孔１８内に引き込ませる。この操作は、回転部材２１の回転操作溝２３が、縦方向、つまり、バンド１１の長手方向に延びる配置となるように、回転部材２１の回転操作を担う部材としてコイン（図示しない）の周部を回転操作溝２３に入れてから、回転部材２１を回転させることで実行する。この状態では、一対の連結部材２８が最も近付けられた状態にあって、これら連結部材２８の連結端部２８ａの先端部は、エンドピース１２の側壁１２ａから突出することなく、この側壁１２ａの通孔１８内に引き込まれている。
【００４４】
次に、バンド１１のエンドピース１２を、胴４に突設されたかん足７間のかん股６に収めて、通孔１８とかん足７の取付け穴８とを至近距離で対向させる。このようにエンドピース１２がかん股６に受入れられた状態を図２及び図５に示す。
【００４５】
この後、回転操作溝２３にコインの周部を入れて、回転操作溝２３が横方向、つまり、バンド１１の幅方向に回転操作溝２３が延びる配置となるように回転部材２１を回転させる。一対の連結部材２８のカム従節端部２８ｂが挿入されている各カム穴２２は、その他端２２ｂから一端２２ａに行くに従って回転部材２１の中心Ｐからの距離が次第に大きくなる形状である。それにより、コインで回転部材２１が略９０°回転されて、カム穴２２に対するカム従節端部２８ｂの係合位置が変化するに伴い、一対の連結部材２８が通孔１８をガイドとして互いに遠ざかる方向に押し動かされる。
【００４６】
そのため、各連結部材２８の連結端部２８ａの先端部が、エンドピース１２の側壁１２ａから突出して、通孔１８に対向しているかん足７の取付け穴８に夫々挿入される。そして、カム穴２２の一端２２ａにカム従節端部２８ｂが係合するようになると、回転部材２１のそれ以上の回転がカム従節端部２８ｂをストッパとして妨げられると同時に、回転部材２１の節度突起２１ｂが押え板２５の節度溝２５ｂに嵌合して回転部材２１が位置決めされる。
【００４７】
したがって、バンド１１が胴４に取付けられる。この取付けの完了状態を図３及び図５で示す。取付けが完了した状態では、回転部材２１がコイルばね２６で押え板２５に押付けられているので、回転部材２１ががたつくことを抑制できる。これとともに、節度突起２１ｂと節度溝２５ｂとの係合が不用意に外れて回転部材２１が自然に回転されて、連結端部２８ａが取付け穴８から抜け出さないようにできる。
【００４８】
バンド１１を胴４から外す手順を説明する。
【００４９】
まず、図３に示した状態でコインの周部を回転部材２１の回転操作溝２３に挿入して、回転操作溝２３がバンド１１の長手方向に延びる縦方向の配置となるように回転させる。この場合、最初に、回転部材２１が前記隙間ｇを消失させるようにコイルばね２６に抗して押し下げられることで、節度溝２５ｂに対する節度突起２１ｂの係合が容易に外されてから、回転部材２１が略９０°回転される。
【００５０】
既述のようにカム従節端部２８ｂが挿入されている各カム穴２２は、その一端２２ａから他端に行くに従って回転部材２１の中心Ｐからの距離が次第に小さくなる形状であるから、回転部材２１の回転で、カム穴２２に対するカム従節端部２８ｂの係合位置が変化するに伴い、一対の連結部材２８が通孔１８をガイドとして互いに近付く方向に引き動かされる。そのため、各連結部材２８の連結端部２８ａの先端部が、かん足７の取付け穴８から抜け出して、エンドピース１２の側壁１２ａから突出しないように通孔１８内に没入される。そして、カム穴２２の他端２２ｂにカム従節端部２８ｂが係合するようになると、回転部材２１のそれ以上の回転がカム従節端部２８ｂをストッパとして妨げられる。この状態を図２及び図４で示す。
【００５１】
最後に、かん股６からバンド１１のエンドピース１２を引出すことで、バンド１１を胴４から外すことができる。
【００５２】
以上のように胴４のかん股６にエンドピース１２を配置した状態で、エンドピース１２を保持した回転部材２１を回転させることで、一対の連結部材２８の連結端部２８ａをかん足７の取付け穴８に出し入れして、バンド１１を胴４に着脱できる。
【００５３】
この着脱において回転部材２１を回転させる際、専用の工具を殊更用意しなくても、身近にある例えばコインを利用できる。しかも、エンドピース１２の側面とかん足７との間の狭小な作業空間で着脱操作をする必要がなく、かん足７に妨げられることなく、広い作業環境で回転部材２１を回転させる着脱操作ができる。したがって、容易にバンド１１を胴４に着脱できる。
【００５４】
このようにバンド１１の着脱が容易であるので、回転部材２１及び一対の連結部材２８等が取付けられたエンドピース１２を備え、かつ、意匠が異なる１以上のバンド１１を使用者が用意して置く場合には、使用者であっても、既述の手順により容易に所望とするバンド１１に適宜交換して、腕時計１に意匠の変化を与えて使用することが可能となる。
【００５５】
更に、回転部材２１はエンドピース１２から突出しておらず、この回転部材２１を回転させる手掛りとなる操作部は、溝、つまり回転操作溝２３で形成されていて、回転部材２１から突出していないので、腕時計１を使用者の腕に装着した状態で使用者の手首にあたることがなく、異物感を与え難いので使用感がよい。しかも、カム従節端部２８ｂはカム穴２２から突出しないので、腕時計１を使用者の腕に装着した状態で、使用者の手首に接触する恐れがなく、部品精度のばらつきを原因としてカム従節端部２８ｂが仮に手首に触れることがあっても、軽微であって、異物感を与え難いので使用感がよい。
【００５６】
又、かん足７の取付け穴８の大きさは、連結部材２８の連結端部２８ａの径と略等しいので、取付け穴８と連結端部２８ａとの間に大きなクリアランスが形成されることがない。それにより、１２時−６時方向へバンド１１が容易に遊び動かないようにバンド１１を取付けることができる。
【００５７】
図７及び図８は本発明の第２実施形態を示している。第２実施形態は、以下説明する事項以外は第１実施形態と同じであるので、第１実施形態と同じ構成については第１実施形態と同一符号を付してその説明を省略する。
【００５８】
第２実施形態では、各連結部材２８のカム従節端部２８ｂに安定板３１が夫々取付けられている。安定板３１は、例えば硬質合成樹脂や金属からなり、例えばリング形状をなしている。安定板３１はその中心孔３１ａ（図８参照）をカム従節端部２８ｂに圧入して取付けられていて、図７に示すように回転部材２１の裏面に摺動可能に接触して設けられている。以上の事項以外は第１実施形態と同じである。
【００５９】
そのため、第２実施形態の腕時計１は、第１実施形態で説明したと同じ作用を得るので、使用者においてコイン等を用いて、胴のかん足７に対してバンドのエンドピース１２を容易に着脱することができる。
【００６０】
しかも、安定板３１を備えたので以下の点で優れている。すなわち、回転部材２１の回転操作に伴って連結部材２８のカム従節端部２８ｂがエンドピース１２のカム穴２２内で倒れる方向に動くことを、連結部材２８と一体的に動かされる安定板３１と回転部材２１の裏面との接触により防止できる。そのため、バンドの着脱する際の回転部材２１の回転操作中に、カム従節端部２８ｂがカム穴２２に競ることが抑制されるに伴い、円滑に回転部材２１を回転させることができきる。
【００６１】
図９は本発明の第３実施形態を示している。第３実施形態は、以下説明する事項以外は第２実施形態と同じであるので、第２実施形態と同じ構成については第２実施形態と同一符号を付してその説明を省略する。
【００６２】
第３実施形態では、回転部材２１が合成樹脂製であり、その裏面中央部に凹部１７の底面に向けて突出する筒状凸部２４が一体に形成されている。筒状凸部２４がその先端に有した環状突起２４ａは凹部１７の底面に押付けられている。筒状凸部２４には、この筒状凸部２４の軸方向の弾性変形を可能とする切溝２４ｂが筒状凸部２４の周方向に沿って部分的に設けられている。以上の事項以外は第２実施形態と同じである。
【００６３】
そのため、第３実施形態の腕時計１は、使用者においてコイン等を用いて、胴のかん足７に対してバンドのエンドピース１２を容易に着脱することができる。
【００６４】
しかも、筒状凸部２４の環状突起２４ａを凹部１７の底面に押し当てて回転部材２１が取付けられることにより、筒状凸部２４を軸方向に弾性変形させて、それに伴う反発力で回転部材２１を押え板２５に押付けることができる。そのため、回転部材２１を付勢するために格別な部品を要しない点で優れている。
【００６５】
図１０は本発明の第４実施形態を示している。第４実施形態は、以下説明する事項以外は第１実施形態と同じであるので、第１実施形態と同じ構成については第１実施形態と同一符号を付してその説明を省略する。
【００６６】
第４実施形態では、バンド１１を金属製ではなく皮革製としてある。一方のバンド１１の係合部材１３にはバックルが用いられ、他方のバンド１１には係合部材１４（図１参照）に代えてバックルが有した差込み棒１３ａが挿脱される複数の孔１１ａが開けられている。又、これらバンド１１の一端部には夫々エンドピース１２が固定されていて、これらエンドピース１２を介して胴４にバンド１１が着脱可能に取付けられている。以上の事項以外は第１実施形態と同じである。
【００６７】
そのため、第４実施形態の腕時計１は、第１実施形態で説明したと同じ作用を得るので、使用者においてコイン等を用いて、胴のかん足７に対してバンドのエンドピース１２を容易に着脱することができる。
【図面の簡単な説明】
【００６８】
【図１】本発明の第１実施形態に係る腕時計を示す正面図。
【図２】図１の腕時計のバンド連結部を胴に対するバンドの連結を解除した状態で示す裏面図。
【図３】図１の腕時計のバンド連結部を胴にバンドが連結された状態で示す裏面図。
【図４】図３中Ｆ４−Ｆ４線に沿う断面図。
【図５】図２中Ｆ５−Ｆ５線に沿う断面図。
【図６】（Ａ）は図１の腕時計が備える回転部材と一対の連結部材を分解した状態で示す斜視図。（Ｂ）は回転部材と一対の連結部材を組み合わせた状態で示す斜視図。
【図７】本発明の第２実施形態に係る腕時計のバンド連結部を胴にバンドが連結された状態で示す断面図。
【図８】図７の腕時計が備える回転部材と一対の連結部材及び安定板を分解した状態で示す斜視図。
【図９】本発明の第３実施形態に係る腕時計のバンド連結部を胴にバンドが連結された状態で示す断面図。
【図１０】本発明の第４実施形態に係る腕時計を示す正面図。
【符号の説明】
【００６９】
１…腕時計
４…胴
６…かん股
７…かん足
８…取付け穴
１１…バンド
１２…エンドピース
１２ａ…エンドピースの側壁
１７…エンドピースの凹部
１８…側壁の通孔
２１…回転部材
２１ｂ…節度突起
２２…カム穴
２２ａ…カム穴の一端
２２ｂ…カム穴の他端
２３…回転操作溝
Ｐ…回転部材の中心
２５…押え板
２５ｂ…押え板の節度溝
２６…コイルばね（付勢手段）
２８…連結部材
２８ａ…連結部材の連結端部
２８ｂ…連結部材のカム従節端部
３１…安定板
【図１】
2008164428.tif 000003
【図２】
2008164428.tif 000004
【図３】
2008164428.tif 000005
【図４】
2008164428.tif 000006
【図５】
2008164428.tif 000007
【図６】
2008164428.tif 000008
【図７】
2008164428.tif 000009
【図８】
2008164428.tif 000010
【図９】
2008164428.tif 000011
【図１０】
2008164428.tif 000012